(57)【要約】【課題】データスループットを向上させることが可能なフィードバック情報を生成することが可能な移動無線端末装置を提供する。【解決手段】速度検出部５００は、移動速度を検出するための手段として、GPS受信部５０１と、加速度センサ５０２と、速度演算部５０３とを備える。そして、基地局装置にフィードバックするCSIに含めるRI(Rank Indication)を、上記速度検出部５００で求めた速度情報に基づいて、決定するようにしたものである。【選択図】      図２
2011176486.tif 000002
【特許請求の範囲】
【請求項１】
複数のアンテナを備えてデータの送信に用いるストリーム数を可変する基地局装置に対して、この基地局装置から受信した信号の品質を報告する移動無線端末装置において、
移動速度を検出する速度検出手段と、
この速度検出手段の検出結果に基づいて、前記基地局装置が送信に用いるストリーム数を決定する情報を生成する情報生成手段と、
この情報生成手段が生成した情報を前記基地局装置に送信する送信手段とを具備することを特徴とする移動無線端末装置。
【請求項２】
前記情報生成手段は、前記基地局装置から受信した信号の品質と、前記速度検出手段の検出結果に基づいて、前記基地局装置が送信に用いるストリーム数を決定する情報を生成することを特徴とする請求項１に記載の移動無線端末装置。
【請求項３】
前記速度検出手段は、GPS衛星からの信号を受信して位置情報を求め、この位置情報の時間的な変化から移動速度を検出することを特徴とする請求項１に記載の移動無線端末装置。
【請求項４】
前記速度検出手段は、複数の方向の加速度を検出し、この加速度を時間的に積分することで移動速度を検出することを特徴とする請求項１に記載の移動無線端末装置。
【請求項５】
前記速度検出手段は、基地局装置によって形成されるセル間の移動を検出し、この検出結果に基づいて、移動速度を検出することを特徴とする請求項１に記載の移動無線端末装置。
【請求項６】
前記速度検出手段は、前記基地局装置から受信した信号からフェージングピッチを検出し、この検出結果に基づいて、移動速度を検出することを特徴とする請求項１に記載の移動無線端末装置。
【請求項７】
前記速度検出手段は、
複数の方向の加速度を検出する加速度検出手段と、
GPS衛星からの信号を受信して位置情報を求め、この位置情報の時間的な変化から移動速度を検出する移動速度検出手段と、
前記加速度検出手段が予め設定した強度以上の加速度を検出した場合に、前記移動速度検出手段を動作させて、移動速度を求める制御手段とを備えることを特徴とする請求項１に記載の移動無線端末装置。
【発明の詳細な説明】
【技術分野】
【０００１】
この発明は、例えばネットワークに収容される基地局と無線通信する移動無線端末装置に関する。
【背景技術】
【０００２】
周知のように、無線通信を行う２つの無線装置において、一方の無線装置が他方の無線装置から送信された無線信号の受信状況に応じて、他方の無線装置からの送信を制御するフィードバック制御が行われる。このような技術は、例えば、携帯電話システムや自動車電話システム、無線ＬＡＮなどの無線通信システムに適用されている。
【０００３】
近時、OFDMA(Orthogonal Frequency Division Multiple Access)方式を採用したLTE(Long Term Evolution)無線システムの開発が進められている。またこの無線システムでは、MIMO(Multi-Input Multi-Output)技術が適用されている。このような最新の無線システムにおいても、スループットを向上させるためには、送信側で受信側の無線チャネルの状況を把握し、その状況に応じた制御が重要となる。
【０００４】
特に、LTE無線システムでは、基地局から移動局に向けた送信周波数と、移動局から基地局に向けた送信周波数が異なるため、スループットを向上させるためには、相手側での状況を把握する必要がある。このため、LTE無線システムでは、移動局から基地局へのCSI(Channel State Information)フィードバックとして、RI(Rank Indication)、PMI(Pre-coding Matrix Indication)、CQI(Channel Quality Indicator)を通知するようにしている。ここで、RIは、移動局が基地局に対して希望するストリーム数であり、従来は、無線チャネルのSN比に基づいて決定していた（参考文献１参照）。
【０００５】
しかしながら、SN比が良好であっても、移動局が移動していると、データスループットの向上は見込まれない。すなわち、SN比に基づくフィードバック情報では、データスループットの向上が必ずしも改善しないという問題があった
【先行技術文献】
【非特許文献】
【０００６】
【非特許文献１】LTE and the Evolution to 4G Wireless 2.4.3章  （Agilent Technologies）
【発明の概要】
【発明が解決しようとする課題】
【０００７】
従来は、SN比に基づくフィードバック情報では、データスループットの向上が必ずしも改善しないという問題があった。  
この発明は上記の問題を解決すべくなされたもので、データスループットを向上させることが可能なフィードバック情報を生成することが可能な移動無線端末装置を提供することを目的とする。
【課題を解決するための手段】
【０００８】
上記の目的を達成するために、この発明は、複数のアンテナを備えてデータの送信に用いるストリーム数を可変する基地局装置に対して、この基地局装置から受信した信号の品質を報告する移動無線端末装置において、移動速度を検出する速度検出手段と、この速度検出手段の検出結果に基づいて、基地局装置が送信に用いるストリーム数を決定する情報を生成する情報生成手段と、この情報生成手段が生成した情報を基地局装置に送信する送信手段とを具備して構成するようにした。
【発明の効果】
【０００９】
以上述べたように、この発明では、移動速度を検出し、この検出結果に基づいて、基地局装置が送信に用いるストリーム数を決定する情報を生成して、基地局装置に送信するようにしている。
【００１０】
したがって、この発明によれば、移動速度に基づいて生成された情報に基づいて、基地局装置は送信に用いるストリーム数を決定できるので、データスループットを向上させることが可能なフィードバック情報を生成することが可能な移動無線端末装置を提供できる。
【図面の簡単な説明】
【００１１】
【図１】この発明に係わる移動無線端末装置が用いられる無線通信システムの構成を示す図。
【図２】図１に示した移動無線端末装置の構成を示す回路ブロック図。
【図３】図２に示した移動無線端末装置のCSI決定部が備える機能を説明するための機能ブロック図。
【図４】図３に示したCQI決定部が記憶するCQIテーブルの一例を示す図。
【図５】図３に示したPMI決定部が記憶するプリコーディングブックの一例を示す図。
【図６】図３に示したRI決定部によるRI決定処理を説明するためのフローチャート。
【図７】図２に示した速度演算部による速度検出処理を説明するためのフローチャート。
【発明を実施するための形態】
【００１２】
以下、図面を参照して、この発明の一実施形態について説明する。  
図１は、この発明の一実施形態に係わる移動無線端末装置ＭＳと無線通信する基地局装置ＢＳの構成を示すものである。この基地局装置ＢＳは、直列／並列変換部１０と、チャネル符号化部２１，２２と、データ変調部３１，３２と、プリコーディング部４１，４２と、無線部５０と、合成器６１，６２と、第１アンテナ７１と、第２アンテナ７２と、送信制御部８０とを備える。その他、移動無線端末装置ＭＳから受信した無線信号からCSI(Channel State Information)を得る受信系の構成も備えるが、その説明を省略する。
【００１３】
直列／並列変換部１０は、送信制御部８０からの指示に応じて、送信データをそのままチャネル符号化部２１および２２に出力したり（同じデータがチャネル符号化部２１および２２に出力される）、あるいは、送信データを所定のデータサイズ単位で２つのデータに分け、この２つに分けられたデータをそれぞれ対応するチャネル符号化部２１および２２に出力する。
【００１４】
チャネル符号化部２１，２２は、送信制御部８０からの指示に応じた符号化レートで、それぞれ直列／並列変換部１０から与えられたデータをチャネル符号化し、これによって得た符号化データをそれぞれ対応するデータ変調部３１，３２に出力する。
【００１５】
データ変調部３１，３２は、送信制御部８０から指示される変調方式（例えば、QPSK、16QAM、64QAMなど）で、それぞれチャネル符号化部２１，２２から与えられた符号化データを用いて搬送波を変調し、変調信号を得る。データ変調部３１によって得られた変調信号は、プリコーディング部４１に出力され、一方、データ変調部３２によって得られた変調信号は、プリコーディング部４２に出力される。
【００１６】
プリコーディング部４１は、データ変調部３１から与えられた変調信号を第１信号と第２信号に２分配し、送信制御部８０から指示されるプリコーディング行列にしたがって、２つの変調信号の位相を調整する。同様に、プリコーディング部４２は、データ変調部３２から与えられた変調信号を第３信号と第４信号に２分配し、送信制御部８０から指示されるプリコーディング行列にしたがって、２つの変調信号の位相を調整する。
【００１７】
無線部５０は、プリコーディングされた第１信号〜第４信号を無線周波数にアップコンバートする。  
合成器６１は、第１信号に基づく無線信号と第３信号に基づく無線信号を合成し、第１アンテナ７１を通じて、空間に放射する。同様に、合成器６１は、第２信号に基づく無線信号と第４信号に基づく無線信号を合成し、第２アンテナ７２を通じて、空間に放射する。
【００１８】
送信制御部８０は、移動無線端末装置ＭＳから通知されたCSIに基づいて、上述した送信系の各部を統括して制御し、移動無線端末装置ＭＳに向けて、送信ダイバーシチ制御を行う機能を備える。例えば、移動無線端末装置ＭＳから通知されたCSIに含まれるRI(Rank Indication)は、3GPP(3rd Generation Partnership Project)のLTE(Long Term Evolution)規格TS36.213 7.2に記載されるものであって、送信制御部８０は、RIに基づいてRankを決定し、この決定したRankが「１」の場合には、直列／並列変換部１０に対して同じ送信データを２分配出力するように指示し、一方、Rankが「２」の場合には、直列／並列変換部１０に対して同じ送信データを２つのデータに分けて出力するように指示する。すなわち、基地局装置ＢＳは、移動無線端末装置ＭＳから通知されるRIに基づいて、データを送信するストリーム数を設定する。
【００１９】
また例えば、上記CSIに含まれるCQI(Channel Quality Indicator)は、3GPPのLTE規格TS36.213に記載されるCQIテーブルに基づくものであって、送信制御部８０はこのCQIテーブルを予め記憶し、このテーブルを参照して、移動無線端末装置ＭＳへの送信に適用すべき変調方式および符号化レートを決定する。このようにして決定した符号化レートを、チャネル符号化部２１，２２に指示する。また上記のようにして決定した変調方式をデータ変調部３１，３２に指示する。
【００２０】
そして例えば、上記CSIに含まれるPMI(Pre-coding Matrix Indication)は、3GPPのLTE規格TS36.211 6.3.4.2に記載される２×２MIMO(Multi-Input Multi-Output)のPre-coding Matrixを示すものであって、送信制御部８０は、このプリコーディングコードブックを予め記憶し、このコードブックを参照して、移動無線端末装置ＭＳへの送信に適用すべきプリコーディング行列を決定する。このようにして決定したプリコーディング行列を、プリコーディング部４１，４２に指示する。
【００２１】
図２は、この発明の一実施形態に係わる移動無線端末装置ＭＳの構成を示すものである。この移動無線端末装置ＭＳは、フロントエンド１００と、周波数変換部２００と、信号変換部３００と、復調部４００と、速度検出部５００と、変調部６００とを備えている。  フロントエンド１００は、第１アンテナ１０１と、第２アンテナ１０２と、デュプレクサ１０３と、バンドパスフィルタ１０４，１０６，１０８，１１０と、ＲＦアンプ１０５，１０７，１０９とを備える。
【００２２】
周波数変換部２００は、ローカル信号発振器（ＬＯ）２０１と、可変利得アンプ２０２，２０５と、周波数変換器２０３，２０６，２０９と、バンドパスフィルタ２０４，２０７，２０８と、アンプ２１０とを備える。  
信号変換部３００は、アナログ／デジタル変換器（ＡＤＣ）３０１，３０２と、デジタル／アナログ変換器（ＤＡＣ）３０３とを備える。
【００２３】
復調部４００は、データ復号部４１０と、CSI決定部４２０とを備える。  
速度検出部５００は、GPS受信部５０１と、加速度センサ５０２と、速度演算部５０３とを備える。  
変調部６００は、データ符号化部６０１を備える。
【００２４】
基地局装置ＢＳの第１アンテナ７１および第２アンテナ７２からそれぞれ送信された無線信号は、第１アンテナ１０１によって受信されるとともに、第２アンテナ１０２によって受信される。すなわち、MIMO受信される。
【００２５】
第１アンテナ１０１によって受信された無線信号は、デュプレクサ１０３を介してバンドパスフィルタ１０４に入力される。バンドパスフィルタ１０４は、所定の周波数帯域の無線信号だけを通過させる特性により、上記無線信号の帯域を抑制する。このように帯域制限された無線信号は、ＲＦアンプ１０５により増幅され、可変利得アンプ２０２に出力される。  
なお、デュプレクサ１０３は、図示しない制御部の切替制御によって、受信タイミングにおいては、第１アンテナ１０１とバンドパスフィルタ１０４とを接続し、一方、送信タイミングにおいては、バンドパスフィルタ１１０と第１アンテナ１０１とを接続する。
【００２６】
第２アンテナ１０２によって受信された無線信号は、バンドパスフィルタ１０６に入力される。バンドパスフィルタ１０６は、所定の周波数帯域の無線信号だけを通過させる特性により、上記無線信号の帯域を抑制する。このように帯域制限された無線信号は、ＲＦアンプ１０７により増幅され、可変利得アンプ２０５に出力される。
【００２７】
ローカル信号発振器２０１は、周波数変換用のローカル信号を発振する。  
可変利得アンプ２０２は、図示しない制御部によって増幅利得が制御され、ＲＦアンプ１０５の出力を増幅し、周波数変換器２０３に出力する。そして、周波数変換器２０３は、可変利得アンプ２０２の出力と、ローカル信号発振器２０１が発振したローカル信号をミキシングして、バンドパスフィルタ２０４に出力する。これにより、ベースバンド周波数の所望信号だけがバンドパスフィルタ２０４を通過して、アナログ／デジタル変換器３０１に出力される。
【００２８】
同様に、可変利得アンプ２０５は、図示しない制御部によって増幅利得が制御され、ＲＦアンプ１０７の出力を増幅し、周波数変換器２０６に出力する。そして、周波数変換器２０６は、可変利得アンプ２０５の出力と、ローカル信号発振器２０１が発振したローカル信号をミキシングして、バンドパスフィルタ２０７に出力する。これにより、ベースバンド周波数の所望信号だけがバンドパスフィルタ２０７を通過して、アナログ／デジタル変換器３０２に出力される。
【００２９】
アナログ／デジタル変換器３０１は、バンドパスフィルタ２０４を通過したアナログ信号をデジタル信号に変換する。同様に、アナログ／デジタル変換器３０２は、バンドパスフィルタ２０７を通過したアナログ信号をデジタル信号に変換する。
【００３０】
復調部４００は、アナログ／デジタル変換器３０１およびアナログ／デジタル変換器３０２から出力されるデジタル信号に対して、後述するCSI決定部４２０で決定したCSIにしたがって、プリ・デコーディング処理を施すとともに、データ復調処理を施し、さらに、チャネル復号を行い、これによって２つのデータを得る。そして、復調部４００は、必要に応じて、上記２つのデータに対して、並列／直列変換を行い、１つのデータを得る。そして、このデータをデータ復号部４１０が復号して、復調データを得る。
【００３１】
またCSI決定部４２０は、基地局装置ＢＳから所定の電力レベルで送信されるパイロット信号を受信する場合に、このパイロット信号を受信して得た２つのデジタル信号と、速度検出部５００が検出した速度情報に基づいて、CSIを決定する。CSI決定部４２０は、例えば図３に示すように、SN検出部４２１と、CQI決定部４２２と、PMI決定部４２３と、RI決定部４２４と、CSI生成部４２５とを備える。
【００３２】
SN検出部４２１は、パイロット信号を受信して得た２つのデジタル信号から、SN比を求めて、CQI決定部４２２、PMI決定部４２３およびRI決定部４２４に通知する。  
CQI決定部４２２は、上記SN比に基づいて、CQI、すなわち変調方式と符号化レートを決定し、これらに対応するCQIインデックスをCSI生成部４２５に通知する。なお、CQI決定部４２２は、図４に示すような3GPPのLTE規格TS36.213に記載されているCQIテーブルを予め記憶しており、このテーブルに基づいて、CQIを決定する。
【００３３】
PMI決定部４２３は、上記SN比に基づいて、プリコーディング行列を決定し、これに対応するコードブックインテックスをCSI生成部４２５に通知する。なお、PMI決定部４２３は、図５に示すような3GPPのLTE規格TS36.211 6.3.4.2に記載されているプリコーディングブックを予め記憶しており、このテーブルに基づいて、プリコーディング行列を決定する。
【００３４】
RI決定部４２４は、上記SN比および上記速度情報に基づいて、RIを決定し、CSI生成部４２５に通知する。図６は、RI決定部４２４によるRI決定処理を説明するためのフローチャートである。
【００３５】
以下、図６を参照して、RI決定処理について説明する。この処理は、所定の周期で繰り返し実施される。  
まず、ステップ６ａにおいてRI決定部４２４は、速度検出部５００から最新の速度情報を取得し、ステップ６ｂに移行する。なお、速度情報は、後に詳述するように当該移動無線端末装置ＭＳの移動速度を示している。
【００３６】
ステップ６ｂにおいてRI決定部４２４は、上記速度情報で示される速度Vが予め設定された閾値速度Vthを超えているか否かを判定する。ここで、速度Vが予め設定された閾値速度Vthを超えている場合には、ステップ６ｃに移行し、一方、速度Vが閾値速度Vthを超えていない場合には、ステップ６ｄに移行する。閾値速度Vthは、過去の知見により得られた情報から、例えば30km/h程度に設定する。  
ステップ６ｃにおいてRI決定部４２４は、Rankを「１」に設定するためのRIを生成し、これをCSI生成部４２５に通知して、当該処理を終了する。
【００３７】
ステップ６ｄにおいてRI決定部４２４は、上記SN比が予め設定された閾値品質SNthを超えているか否かを判定する。ここで、SN比が予め設定された閾値品質SNthを超えている場合（受信品質が良好な場合）には、ステップ６ｆに移行し、一方、SN比が閾値品質SNthを超えていない場合（受信品質が良好でない場合）には、ステップ６ｅに移行する。
【００３８】
ステップ６ｅにおいてRI決定部４２４は、Rankを「１」に設定するためのRIを生成し、これをCSI生成部４２５に通知して、当該処理を終了する。  
ステップ６ｆにおいてRI決定部４２４は、Rankを「２」に設定するためのRIを生成し、これをCSI生成部４２５に通知して、当該処理を終了する。
【００３９】
CSI生成部４２５は、CQI決定部４２２から通知されたCQIインデックス、PMI決定部４２３から通知されたコードブックインテックス（PMI）、およびRI決定部４２４から通知されたRIを含むCSIを生成し、変調部６００に出力する。
【００４０】
速度検出部５００は、当該移動無線端末装置ＭＳの移動速度を検出し、速度情報として復調部４００に出力する。速度検出部５００は、GPS受信部５０１と、加速度センサ５０２と、速度演算部５０３とを備えている。
【００４１】
GPS受信部５０１は、図示しない複数のGPS(Global Positioning System)衛星から送信されるGPS信号を受信し、このGPS信号に含まれる衛星の識別情報や位置情報、時刻情報などに基づいて、自己の位置を測位するものであって、この測位を所定の周期で行う。この測位した結果は、測位情報として速度演算部５０３に出力される。なお、この測位技術は、現在、カーナビゲーションシステムなどで利用されている技術を適用できる。
【００４２】
加速度センサ５０２は、３軸周り（ｘ方向、ｙ方向、ｚ方向。各方向は互いに直交）の加速度を検出するものである。なお、この検出技術は、現在、カーナビゲーションシステムなどで利用されている技術を適用できる。  
速度演算部５０３は、GPS受信部５０１および加速度センサ５０２を制御して、当該移動無線端末装置ＭＳの移動速度を演算により求めるものであって、加速度センサ５０２の検出結果を時間的に積分して、第１移動速度を演算により求める機能と、GPS受信部５０１が検出した測位情報とその測位周期に基づいて、自己の位置の時間的な変化から第２移動速度を演算により求める機能とを有する。
【００４３】
図７は、速度演算部５０３による速度検出処理を説明するためのフローチャートである。以下、図７を参照して、速度検出処理について説明する。なお、初期状態では、GPS受信部５０１には電力が供給されず、稼働していない。  
まずステップ７ａにおいて速度演算部５０３は、加速度センサ５０２が検出した加速度を取得し、ステップ７ｂに移行する。
【００４４】
ステップ７ｂにおいて速度演算部５０３は、所定の強度以上の加速度が発生しているか否かを判定することで、当該移動無線端末装置ＭＳに動きが生じているか否かを判定する。ここで、動きが生じている場合には、ステップ７ｃに移行し、一方、動きが生じていない場合には、ステップ７ｅに移行する。
【００４５】
ステップ７ｃにおいて速度演算部５０３は、GPS受信部５０１に電力を供給して、GPS受信を開始させ、ステップ７ｄに移行する。なお、ステップ７ｃに移行した時点で、既にGPS受信部５０１がGPS受信を行っている場合には、そのまま電力の供給を継続し。GPS受信を継続させる。
【００４６】
ステップ７ｄにおいて速度演算部５０３は、加速度センサ５０２の検出結果を時間的に積分して、第１移動速度を演算により求めるとともに、GPS受信部５０１が検出した測位情報とその測位周期に基づいて、第２移動速度を演算により求め、第１移動速度と第２移動速度に基づいて、当該移動無線端末装置ＭＳの移動速度を検出する。そして、この検出した移動速度を速度情報として、復調部４００に出力し、ステップ７ａに移行する。
【００４７】
ステップ７ｅにおいて速度演算部５０３は、GPS受信部５０１に電力の供給を停止して、GPS受信を終了させ、ステップ７ｆに移行する。なお、ステップ７ｅに移行した時点で、既にGPS受信部５０１が停止している場合には、そのまま電力の供給を行わず、GPS受信を行わない。
【００４８】
ステップ７ｆにおいて速度演算部５０３は、加速度センサ５０２の検出結果を時間的に積分して、第１移動速度を演算により求め、これを当該移動無線端末装置ＭＳの移動速度として検出する。そして、この検出した移動速度を速度情報として、復調部４００に出力し、ステップ７ａに移行する。
【００４９】
変調部６００は、送信データや、復調部４００で求めたCSIを、データ符号化部６０１を用いて符号化する。そして変調部６００は、符号化したデータを用いて搬送波を変調し、変調信号を得る。この変調信号は、デジタル／アナログ変換器３０３に出力される。    デジタル／アナログ変換器３０３は、上記変調信号をデジタル信号に変換し、バンドパスフィルタ２０８に出力する。
【００５０】
バンドパスフィルタ２０８は、上記デジタル信号の所定周波数帯域だけを通過させ、周波数変換器２０９に出力する。そして、周波数変換器２０９は、バンドパスフィルタ２０８の出力と、ローカル信号発振器２０１が発振したローカル信号をミキシングして、アンプ２１０に出力する。アンプ２１０は、周波数変換器２０９の出力を増幅し、バンドパスフィルタ１０８に出力する。これにより、無線周波数の信号が、得られる。
【００５１】
バンドパスフィルタ１０８は、アンプ２１０で増幅された信号のうち、所定周波数帯域だけを通過させて、ＲＦアンプ１０９に出力する。ＲＦアンプ１０９は、バンドパスフィルタ１０８を通過した無線周波数の信号を増幅し、この増幅した信号をバンドパスフィルタ１１０を介して、デュプレクサ１０３に出力する。デュプレクサ１０３に出力された無線周波数の信号は、第１アンテナ１０１より空間に放射される。
【００５２】
以上のように、上記構成の移動無線端末装置ＭＳでは、移動速度に応じてRIを決定するようにしているので、SN比に基づいてRIを決定する場合に比べて、データスループットを向上させることができる。さらに、SN比を考慮して、RIを決定するようにしているので、より的確なRIを決定することができる。
【００５３】
また上記構成の移動無線端末装置ＭＳでは、加速度センサ５０２によって動きを検出し、動きが検出される場合に限って、GPS受信部５０１の測位結果に基づく移動速度の演算を行うようにしている。このため、動きがない場合におけるGPS受信部５０１の消費電力を抑制することができる。
【００５４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【００５５】
その一例として例えば、上記実施の形態では、ステップ７ａにおいて加速度センサ５０２による加速度検出を行い、ステップ７ｂにおいて、その加速度から動きが生じているか否かを判定するようにしたが、加速度に代わって、速度検出部５００が、基地局装置ＢＳによって形成されるセル間の移動（もしくは、移動の頻度）を検出し、この検出結果から動きが生じているか否かを判定するようにしてもよい。この判定には、セル毎に基地局装置から送信される識別情報に基づいて行うことが可能である。また速度検出部５００が、受信信号からフェージングピッチを検出し、この検出結果の変化から動きが生じているか否かを判定するようにしてもよい。
【００５６】
また速度検出部５００が、加速度やGPSの検出結果に基づく速度演算に代わって、セル遷移の頻度やフェージングピッチに基づいて、移動速度を推定するようにしてもよい。  その他、この発明の要旨を逸脱しない範囲で種々の変形を施しても同様に実施可能であることはいうまでもない。
【符号の説明】
【００５７】
１０…直列／並列変換部、２１，２２…チャネル符号化部、３１，３２…データ変調部、４１，４２…プリコーディング部、５０…無線部、６１，６２…合成器、７１…第１アンテナ、７２…第２アンテナ、８０…送信制御部、１００…フロントエンド、１０１…第１アンテナ、１０２…第２アンテナ、１０３…デュプレクサ、１０４，１０６，１０８，１１０…バンドパスフィルタ、１０５，１０７，１０９…ＲＦアンプ、２００…周波数変換部、２０１…ローカル信号発振器、２０２，２０５…可変利得アンプ、２０３，２０６，２０９…周波数変換器、２０４，２０７，２０８…バンドパスフィルタ、２１０…アンプ、３００…信号変換部、３０１，３０２…アナログ／デジタル変換器（ＡＤＣ）、３０３…デジタル／アナログ変換器（ＤＡＣ）、４００…復調部、４１０…データ復号部、４２０…CSI決定部、４２１…SN検出部、４２２…CQI決定部、４２３…PMI決定部、４２４…RI決定部、４２５…CSI生成部、５００…速度検出部、５０１…受信部、５０２…加速度センサ、５０３…速度演算部、６００…変調部、６０１…データ符号化部、ＢＳ…基地局装置、ＭＳ…移動無線端末装置。
【図１】
2011176486.tif 000003
【図２】
2011176486.tif 000004
【図３】
2011176486.tif 000005
【図４】
2011176486.tif 000006
【図５】
2011176486.tif 000007
【図６】
2011176486.tif 000008
【図７】
2011176486.tif 000009